(57)【要約】【課題】面倒な操作を行うことなく、簡単かつ短時間に、トレンドグラフの所望の点でどのような事象が発生していたかを知ることができるようにする。効率よく解析を進めることができるようにする。【解決手段】マウスポインタＭＰをトレンドグラフＴＧ１の所望の点Ｐ１に移動させ、マウスクリックする。すると、そのマウスクリックによって選択指定されたトレンドグラフＴＧ１上の点Ｐ１に応ずる時間軸上の時刻ｔ１が読み取られ、この時刻ｔ１を中心とする前後の所定時間帯（例えば、前後１０分以内）に発生した事象の履歴データが読み出される。この読み出された履歴データはトレンドグラフＧ１と同一の画面ＧＡ中に出現する表示領域ＡＲ２内に表示される。【選択図】  図５
2005215845.tif 000002
【特許請求の範囲】
【請求項１】
監視対象で発生した事象をその発生時刻を付して履歴データとして記憶する工程と、
前記監視対象から時系列に収集されたデータを時系列データとして記憶する工程と、
前記時系列データを時間軸を基軸とするグラフに表示する工程と、
前記グラフ上の所望の点が選択指定された場合、その選択指定された点に応ずる前記時間軸上の時刻を含む所定時間帯に発生した事象の履歴データを読み出して前記グラフと同一の画面上に表示する工程と
を備えたことを特徴とするトレンドグラフ表示方法。
【請求項２】
請求項１に記載されたトレンドグラフ表示方法において、さらに、
前記グラフと同一の画面上に表示する履歴データの種別を選択する工程を備えたことを特徴とするトレンドグラフ表示方法。
【請求項３】
監視対象で発生した事象をその発生時刻を付して履歴データとして記憶する履歴データ記憶手段と、
前記監視対象から時系列に収集されたデータを時系列データとして記憶する時系列データ記憶手段と、
前記時系列データを時間軸を基軸とするグラフに表示するグラフ表示手段と、
前記グラフ上の所望の点が選択指定された場合、その選択指定された点に応ずる前記時間軸上の時刻を含む所定時間帯に発生した事象の履歴データを読み出して前記グラフと同一の画面上に表示する履歴データ表示手段と
を備えたことを特徴とするトレンドグラフ表示装置。
【請求項４】
請求項３に記載されたトレンドグラフ表示装置において、さらに、
前記グラフと同一の画面上に表示する履歴データの種別を選択する履歴データ種別選択手段を備えたことを特徴とするトレンドグラフ表示装置。
【発明の詳細な説明】
【技術分野】
【０００１】
この発明は、温度や湿度など時系列に収集したデータをグラフ表示するトレンドグラフ表示方法および装置に関するものである。
【背景技術】
【０００２】
従来より、プラントや建物などには、設備の状態や室内の状態などを監視する監視システムが設けられている。この監視システムは、中央監視装置を有し、中央監視装置には通信回線を介してコントローラが接続されている。コントローラは、各機器の制御を担当するとともに、機器の運転状態を示すデータや室内温度などの計測データを定期的に収集し、蓄積する。
【０００３】
中央監視装置側にはオペレータがいる。オペレータは、中央監視装置のディスプレイ上に、データを指定してそのトレンドグラフを表示させることができる。例えば、所望の部屋の温度データを指定すると、その温度データが蓄積されているコントローラへデータの送信要求が送られる。コントローラは、中央監視装置からの送信要求を受けて、指定された温度データを中央監視装置へ返送する。
【０００４】
例えば、トレンドグラフの表示区間（表示対象期間）を１日とした場合、コントローラに時系列に蓄積されている１日分の温度データ（時系列データ）を中央監視装置に返送する。中央監視装置は、コントローラから送られてくる温度データをメモリに記憶するとともに、その記憶した温度データを時間軸を基軸（横軸）としてディスプレイ上にグラフ表示する。このディスプレイ上に表示されるグラフがトレンドグラフである。図６にトレンドグラフの表示例を示す。この例では、同じ座標軸上に、「東側温度」のトレンドグラフＴＧ１と「西側温度」のトレンドグラフＴＧ２とを重ねて表示している（例えば、特許文献１参照）。
【０００５】
一方、中央監視装置は、システム（監視対象）において発生した警報や状態変化，操作などの事象をコントローラを介して受け取り、この事象をその発生時刻を付して履歴データとして記憶する。また、警報などの重要情報については、履歴データとして記憶すると同時に、ディスプレイに表示するなどして直ちにオペレータに知らせる。なお、記憶された履歴データは、必要に応じてディスプレイ上に一覧表として表示させることも可能である。
【０００６】
【特許文献１】特開平７−２６１７４４号公報
【発明の開示】
【発明が解決しようとする課題】
【０００７】
しかしながら、従来の監視システムでは、トレンドグラフの表示機能と履歴データの表示機能とが別個の機能として存在していた。このため、トレンドグラフの変化点に着目し、その変化点でどのような事象が発生していたのかを調べたいような場合、履歴データ表示用のアプリケーションを起動して履歴データを表示させ、その中から該当する時刻を中心とする所望の時間帯に生じた事象の履歴データを探し出さなければならない。
【０００８】
例えば、図６に示されたトレンドグラフＴＧ１上の変化点Ｐ１において、どのような事象が発生していたのかを調べたいような場合、履歴データ表示用のアプリケーションを起動し、履歴データの一覧表Ｈ１（図７参照）をトレンドグラフＴＧ１の表示画面ＧＡとは別の画面ＧＢに表示させ、この一覧表Ｈ１の中から該当する時刻を中心とする所望の時間帯（例えば、前後１０分以内）に生じた事象の履歴データを探し出す。
【０００９】
このように、従来の監視システムでは、トレンドグラフの変化点に着目し、その変化点でどのような事象が発生していたのかを調べたいような場合、手間と時間がかかり、非常に面倒であるという問題があった。また、別の画面に表示されるので、履歴データをトレンドグラフと対比させながら効率よく解析を進めることが困難であった。
【００１０】
本発明は、このような課題を解決するためになされたもので、その目的とするところは、面倒な操作を行うことなく、簡単かつ短時間に、トレンドグラフの所望の点でどのような事象が発生していたかを知ることができる、また履歴データとトレンドグラフとを対比させながら効率良く解析を進めることができるトレンドグラフ表示方法および装置を提供することにある。
【課題を解決するための手段】
【００１１】
このような目的を達成するために本発明は、監視対象で発生した事象をその発生時刻を付して履歴データとして記憶する工程と、監視対象から時系列に収集されたデータを時系列データとして記憶する工程と、時系列データを時間軸を基軸とするグラフに表示する工程と、グラフ上の所望の点が選択指定された場合、その選択指定された点に応ずる時間軸上の時刻を含む所定時間帯に発生した事象の履歴データを読み出して前記グラフと同一の画面上に表示する工程とを設けたものである。
この発明によれば、グラフ（トレンドグラフ）上の所望の点を選択指定すると、その選択指定された点に応ずる時間軸上の時刻を含む所定時間帯（例えば、前後１０分以内）に発生した履歴データが読み出され、そのグラフと同一の画面上に表示される。
【００１２】
本発明において、トレンドグラフと同一の画面上に表示する履歴データは、必要な種別の履歴データを選択できるようにしてもよい。例えば、トレンドグラフ上の所望の点を選択指定する前に、履歴データの種別を選択することにより、警報の履歴データのみを表示させたり、状態変化の履歴データのみを表示させたり、操作の履歴データのみを表示させたりする。なお、全ての種別の履歴データが表示された段階で、必要な種別の履歴データを選択できるようにしてもよい。本発明は、上述した方法を適用した装置としても構成することができる。
【発明の効果】
【００１３】
本発明によれば、トレンドグラフ上の所望の点を選択指定すると、その選択指定された点に応ずる時間軸上の時刻を含む所定時間帯に発生した履歴データがそのグラフと同一の画面上に表示されるので、面倒な操作を行うことなく、簡単かつ短時間に、トレンドグラフの所望の変化点でどのような事象が発生していたかを知ることができるようになる。
【発明を実施するための最良の形態】
【００１４】
以下、本発明を図面に基づいて詳細に説明する。図１はこの発明に係るトレンドグラフ表示方法の実施に用いる監視システムの一例の要部を示すブロック構成図である。
【００１５】
同図において、１はビルの中央監視室に設けられた中央監視装置、２はビル内に分散して設けられたコントローラ、３は空調設備や熱源設備，照明設備などの設備である。中央監視装置１とコントローラ２とは通信回線Ｌを介して接続されている。
【００１６】
この例では、コントローラ２−１が空調設備３−１に対して設けられ、コントローラ２−２が熱源設備３−２に対して設けられ、コントローラ２−３が照明設備３−３に対して設けられている。
【００１７】
コントローラ２−１は、空調設備３−１の各機器の制御を担当するとともに、空調設備３−１の各機器の運転状態を示すデータや各部屋の室内温度などの計測データを例えば１分周期で収集し、自己のメモリに蓄積する。また、空調設備３−１において発生した警報や状態変化，操作などの事象を通信回線Ｌを介して中央監視装置１へ送る。
【００１８】
コントローラ２−２は、熱源設備３−２の各機器の制御を担当するとともに、熱源設備３−２の各機器の運転状態を示すデータや熱源水の温度などの計測データを例えば１分周期で収集し、自己のメモリに蓄積する。また、熱源設備３−２において発生した警報や状態変化，操作などの事象を通信回線Ｌを介して中央監視装置１へ送る。
【００１９】
コントローラ２−３は、照明設備３−３の各機器の制御を担当するとともに、照明設備３−２の各機器の運転状態を示すデータや電力量などの計測データを例えば１分周期で収集し、自己のメモリに蓄積する。また、照明設備３−３において発生した警報や状態変化，操作などの事象を通信回線Ｌを介して中央監視装置１へ送る。
【００２０】
図２は、中央監視装置１のハードウエア構成の概略を示す図である。同図において、１−１はＣＰＵ、１−２はＲＡＭ、１−３はＲＯＭ、１−４はハードディスクなどの記憶装置、１−５〜１−７はインターフェイス、１−８はディスプレイ、１−９はキーボード、１−１０はマウスである。
【００２１】
ＣＰＵ１−１は、インターフェイス１−５〜１−７を介して与えられる各種入力情報を得て、ＲＡＭ１−２にアクセスしながら、ＲＯＭ１−３や記憶装置１−４に格納されたプログラムに従って動作する。記憶装置１−４には、本実施の形態特有のプログラムとして、トレンドグラフ表示プログラムが格納されている。このトレンドグラフ表示プログラムは、例えばＣＤ−ＲＯＭなどの記録媒体に記録された状態で提供され、この記録媒体から読み出されて記憶装置１−４にインストールされている。
【００２２】
また、ＣＰＵ１−１は、コントローラ２を介して送られてくる設備３において発生した警報や状態変化，操作などの事象を受け取り、この事象をその発生時刻を付して履歴データとして記憶装置１−４に記憶する。なお、警報などの重要情報については、履歴データとして記憶装置１−４に記憶すると同時に、ディスプレイ１−８に表示するなどして直ちにオペレータに知らせる。
【００２３】
以下、図３に示すフローチャートを用いて、記憶装置１−４に格納されているトレンドグラフ表示プログラムに従うＣＰＵ１−１の処理動作について説明する。
オペレータにより、ディスプレイ１−８上に表示されている選択メニュー（図示せず）から、所望のトレンドとして例えば「１階空調機のトレンド」が選択されると（ステップ３０１のＹＥＳ）、ＣＰＵ１−１はコントローラ２−１へデータの送信要求を送る。
【００２４】
なお、この実施の形態では、例えば、ディスプレイ１−８にツリービュー形式で各種のトレンドの選択メニューが表示され、このメニューから所望のトレンドを選択することができるようになっている。この選択メニューにおいて、「１階空調機のトレンド」を選択指定することにより、コントローラ２−１へデータの送信要求が送られる。また、本実施の形態において、トレンドグラフの表示区間は１日と定められ、所望の日にちをディスプレイ１−８上から指定することができるようになっている。また、「１階空調機のトレンド」には、「１階東側温度」と「１階西側温度」が取得すべき時系列データの対象として定義されているものとする。
【００２５】
〔トレンドグラフの表示〕
コントローラ２−１は、中央監視装置１からの送信要求を受けて、指定された日にちの「１階東側温度」および「１階西側温度」の時系列データを中央監視装置１へ返送する。コントローラ２−１から返送されてきた「１階東側温度」および「１階西側温度」の時系列データは中央監視装置１のＲＡＭ１−２あるいは記憶装置１−４に記憶される。中央監視装置１のＣＰＵ１−１は、記憶された「１階東側温度」および「１階西側温度」の時系列データを図４に示すように、時間軸を基軸（横軸）としてディスプレイ１−８にグラフ表示する（ステップ３０２）。すなわち、画面ＧＡ中の表示エリアＡＲ１に、「１階東側温度」のトレンドグラフＴＧ１および「１階西側温度」のトレンドグラフＴＧ２を表示する。
【００２６】
〔履歴データの表示〕
例えば今、図４に表示されたトレンドグラフＴＧ１の変化点Ｐ１において、どのような事象が発生していたのかを調べたいとする。この場合、トレンドグラフＴＧ１が表示されている画面ＧＡ中のマウスポインタＭＰを変化点Ｐ１に移動させ、マウスクリックする（ステップ３０３のＹＥＳ）。
【００２７】
すると、ＣＰＵ１−１は、そのマウスクリックによって選択指定されたトレンドグラフＴＧ１上の変化点Ｐ１に応ずる時間軸上の時刻ｔ１を読み取り（ステップ３０４）、この時刻ｔ１を中心とする前後の所定時間帯（例えば、前後１０分以内）に発生した事象の履歴データを記憶装置１−４から読み出す（ステップ３０５）。そして、図５に示すように、履歴データの表示領域ＡＲ２をトレンドグラフＧ１と同一の画面ＧＡ中に出現させ、この表示領域ＡＲ２内にステップ３０５で読み出した履歴データを表示する（ステップ３０６）。
【００２８】
このように、本実施の形態によれば、表示エリアＡＲ１に表示されたトレンドグラフを分析したい場合、そのグラフ上の所望の点を選択指定するのみで、その点を中心とする前後の所定時間帯に発生した事象の履歴データを同一の画面上で確認することができる。これにより、操作が簡便となり、面倒な操作を行うことなく、簡単かつ短時間に、トレンドグラフの所望の点でどのような事象が発生していたかを知ることができる。この発生した事象を知ることによって、故障の発生原因や制御状態の結果などを、トレンドグラフと対比しながら効率よく解析を進めることが可能となる。
【００２９】
なお、上述した実施の形態では、変化点Ｐ１を選択指定した場合について説明したが、選択指定する点は変化点でなくてもよいことは言うまでもない。
また、上述した実施の形態では、発生した事象の履歴データを読み出す時間帯を時刻ｔ１を中心とする前後の所定時間帯としたが、必ずしも時刻ｔ１を中心としなくてもよい。すなわち、時刻ｔ１の前後の時間を必ずしも等しくしなくてもよく、例えば時刻ｔ１の前１０分以内、時刻ｔ１の後１５分以内とするなどとしてもよい。また、例えば時刻ｔ１の前１０分以内を所定時間帯としてもよく、時刻ｔ１の後１０分以内を所定時間帯としてもよい。
【００３０】
また、上述した実施の形態では、時刻ｔ１を中心とする前後の所定時間帯に発生した全ての種別の履歴データが読み出されて表示エリアＡＲ２に表示されるが、トレンドグラフ上の所望の点を選択指定する前に、必要な種別の履歴データを選択できるようにしてもよい。これにより、警報の履歴データのみを表示させたり、状態変化の履歴データのみを表示させたり、操作の履歴データのみを表示させたりすることができ、表示される履歴データを限定し、発生事象を絞り込んで故障の発生原因の追及や解析を進めることが可能となり、さらに効率がアップする。これとは別の方法として、全ての種別の履歴データが表示エリアＡＲ２に表示された段階で、必要な種別の履歴データを選択できるようにしてもよい。
【図面の簡単な説明】
【００３１】
【図１】本発明に係るトレンドグラフ表示方法の実施に用いる監視システムの一例の要部を示すブロック構成図である。
【図２】この監視システムにおける中央監視装置のハードウエア構成の概略を示す図である。
【図３】中央監視装置におけるＣＰＵが行うトレンドグラフ表示プログラムに従う処理動作を説明するフローチャートである。
【図４】中央監視装置のディスプレイにおけるトレンドグラフの表示例を示す図である。
【図５】トレンドグラフおよびこのトレンドグラフ上の所望の点を選択指定した場合に同一画面に出現する履歴データの表示例を示す図である。
【図６】従来のトレンドグラフの表示例を示す図である。
【図７】従来の履歴データの表示例を示す図である。
【符号の説明】
【００３２】
１…中央監視装置、２（２−１〜２−３）…コントローラ、３（３−１〜３−３）…設備、１−１…ＣＰＵ、１−２…ＲＡＭ、１−３…ＲＯＭ、１−４…記憶装置、１−５〜１−７…インターフェイス、１−８…ディスプレイ、１−９…キーボード、１−１０…マウス、Ｌ…通信回線、ＧＡ…画面、ＴＧ１，ＴＧ２…トレンドグラフ、ＡＲ１…トレンドグラフの表示領域、ＡＲ２…履歴データの表示領域、Ｐ１…変化点、ＭＰ…マウスポインタ。
【図１】
2005215845.tif 000003
【図２】
2005215845.tif 000004
【図３】
2005215845.tif 000005
【図４】
2005215845.tif 000006
【図５】
2005215845.tif 000007
【図６】
2005215845.tif 000008
【図７】
2005215845.tif 000009